(57)【要約】【課題】  クロスフローファンや内壁等、室内機内部の清掃を容易に行えるようにした空気調和機を提供する。【解決手段】  下端部に吹出口１２を有し熱交換器及び送風機を収納する本体ケースと、この本体ケースに設けられる前面パネルと、前記吹出口１２から吹き出される空気の上下方向の設定を行う上下風向調節器と左右方向の設定を行う左右風向調節器１３とを備えた空気調和機において、前記上下風向調節器１４は前面パネルへ枢着され、前面パネルと一体で本体ケースへ着脱自在に設けられると共に、左右風向調節器１３は本体ケースの吹出口１２の一周縁部１２Ｓに着脱可能に設けられる。【選択図】      図５
2004219049.tif 000002
【特許請求の範囲】
【請求項１】
下端部に吹出口を有し熱交換器及び送風機を収納する本体ケースと、この本体ケースに設けられる前面パネルと、前記吹出口から吹き出される空気の上下方向の設定を行う上下風向調節器と左右方向の設定を行う左右風向調節器とを備えた空気調和機において、
前記上下風向調節器は前面パネルへ枢着され前面パネルと一体で本体ケースへ着脱自在に設けられると共に、左右風向調節器は本体ケースの吹出口の一周縁部に着脱可能に設けられることを特徴とする空気調和機。
【請求項２】
前記左右風向調節器は複数の縦羽根とこれら縦羽根を支持する支持板とを有し、この支持板と吹出口の一周縁部とを係合する係合部を設けたことを特徴とする請求項１に記載の空気調和機。
【発明の詳細な説明】
【技術分野】
【０００１】
本発明は、室内機の内部を清掃できるようにした空気調和機の構造に関する。
【背景技術】
【０００２】
一般に、室内に据え付けて使用される空気調和機の壁掛け型室内機は知られている。
【０００３】
この種の室内機は、例えば、プラスチック等を材料として形成された横長の本体ケースを有し、この本体ケースには前面及び上面に吸気用の開口部を有するとともに、これら開口部に沿って配置される熱交換器と本体ケースの略中央部に配置される送風機とを備えており、この本体ケースの前面には吸込口が形成された前面パネルが装着されている（例えば、特許文献１参照。）。
【０００４】
そして、前面及び上面開口部にはこれら開口部を覆うように前面パネル及び上面開口部の内側にエアフィルタを取り付けており、このエアフィルタにより空気中の塵や埃が室内機内部に侵入するのを防いでいる。
【０００５】
さらに、本体ケースの下端部には、空気調和された空気を室内に吹き出すための吹出口が形成され、この吹出口には吹き出す空気の上下方向の設定を行う上下風向調節器（横羽根）と左右方向の設定を行う左右風向調節器（縦羽根）が設けられている。
【特許文献１】特開２００１−２０１０９０
【発明の開示】
【発明が解決しようとする課題】
【０００６】
ところで、前述した壁掛け型室内機では、前記フィルタ類で捉えきれない細かな塵や埃が内部に侵入しクロスフローファンや内壁等に付着するので、近年、内部に付着した塵や埃を容易に清掃できるようにすることが要求されている。
【０００７】
本発明の目的は、上述した従来の事情に鑑みなされたものであり、クロスフローファンや内壁等、室内機内部の清掃を容易に行えるようにした空気調和機を提供することにある。
【課題を解決するための手段】
【０００８】
上記目的を達成ために、請求項１に記載の発明は、下端部に吹出口を有し熱交換器及び送風機を収納する本体ケースと、この本体ケースに設けられる前面パネルと、前記吹出口から吹き出される空気の上下方向の設定を行う上下風向調節器と左右方向の設定を行う左右風向調節器とを備えた空気調和機において、前記上下風向調節器は前面パネルへ枢着され前面パネルと一体で本体ケースへ着脱自在に設けられると共に、左右風向調節器は本体ケースの吹出口の一周縁部に着脱可能に設けられることを特徴とする。
【０００９】
請求項２に記載の発明は、請求項１に記載の空気調和機において、前記左右風向調節器は複数の縦羽根とこれら縦羽根を支持する支持板とを有し、この支持板と吹出口の一周縁部とを係合する係合部を設けたことを特徴とする。
【発明の効果】
【００１０】
以上説明したように、本発明の空気調和機は、上下風向調節器及び左右風向調節器を吹出口から取り外すことができるので、吹出口の開口を通して本体ケース内部を容易に清掃することができる。
【実施例】
【００１１】
以下、本発明の一実施例を図面に基づいて説明する。
【００１２】
分離型空気調和機は、室外に設置される室外機と、この室外機と冷媒管により接続され室内に設置される室内機とにより構成され、これら室外機と室内機との間を冷媒が循環し室内の空調を行っている。
【００１３】
図１は本発明の一実施例における壁掛け型空気調和機の室内機の斜視図、図２は同じく側断面図である。図１において、この室内機１０は、プラスチック等を材料として横長に形成された本体ケース１と、この本体ケース１に取り付けられる前面パネル３及び天面パネル５とを備えている。前面パネル３には前面吸気口４を有し、天面パネル５には上面吸気口６を有している。
【００１４】
図２において、前記本体ケース１内の略中心位置には長手方向に延設されたクロスフローファン（送風機）９が設けられ、このクロスフローファン９と前面吸気口４及び上面吸気口６との間に熱交換器７が配設されている。
【００１５】
この熱交換器７は、３つのブロックからなり、クロスフローファン９を包むように側面から見て概略「く」字状及び「へ」字状に形成されて、室内機を小型化しても熱交換効率が低下しないようになっている。
【００１６】
熱交換器７の下端部には、当該熱交換器７で結露して滴下する水を受け止めるドレンパン１１が設けられ、このドレンパン１１は本体ケース１に固定されている。
【００１７】
また、本体ケース１は後部を覆うフレーム１５とこのフレーム１５の前方に取り付けられるグリル１７とからなっている（図１参照）。
【００１８】
図３はグリルを示す斜視図、図４はフレーム及びこのフレームに収納される構成部品を示す斜視図である。図３において、グリル１７の上面には上面開口部５７、前面には前面開口部５８が形成され、これら開口部５７、５８が前記前面パネル３の前面吸気口４及び上面吸気口６（図１参照）に連通している。
【００１９】
図４において、フレーム１５の下端部には空気調和された空気を室内に吹き出すための吹出口１２が形成され、この吹出口１２には吹き出す空気の左右方向を設定するための左右風向調節器１３が設けられている。
【００２０】
図５は吹出口の一周縁部から左右風向調節器を外した状態を示す吹出口の斜視図、図６、図７は図５の一部拡大図、図８は縦羽根と駆動用モータの連結具とを連結した状態を示す斜視図である。図５において、左右風向調節器１３は、複数の縦羽根１３ａ、１３ａ・・と、これら縦羽根１３ａ、１３ａ・・を揺動可能に支持する横長の支持板６２と、これら縦羽根１３ａ、１３ａ・・を連動する連動板６１と、縦羽根１３ａ、１３ａ・・を揺動する駆動用モータ６３とを備えている。
【００２１】
前記支持板６２の下面には下方に突出する左右２つの突起部６４、６４（係合部）が設けられ、その上面にはそれぞれ取っ手６５、６５が設けられている。また、右端の縦羽根１３ｂには、図６に示すように、コの字状の切欠きが形成され、この切欠きの下縁から上方に立設するボス６７が設けられている。このボス６７には連結具６６の一端に形成された取付孔６６ａが遊嵌されて着脱可能に連結され、連結具６６の他端が駆動用モータ６３の回転軸に連結される。
【００２２】
一方、前記吹出口１２下部の一周縁部１２Ｓには、支持板６２の奥側の縁を挟持する複数の爪７１、７１・・（係合部）と、支持板６２の突起部６４にそれぞれ嵌合する嵌合穴７２（係合部）が形成されている。
【００２３】
このように構成された吹出口１２において、前記左右風向調節器１３を吹出口１２から外す場合には、右端の縦羽根１３ｂから連結具６６を外した後（図６、図７参照）、左右の取っ手６５、６５を上方に持ち上げることにより、左右の突起部６４、６４が一周縁部１２Ｓに設けられた嵌合穴７２、７２から外れ、支持板６２を手前に引くことにより、支持板６２の奥側の縁が爪７１、７１・・から外れ左右風向調節器１３を取り外すことができる。
【００２４】
また、左右風向調節器１３を吹出口１２に取り付ける場合には、支持板６２の奥側の縁を爪７１、７１・・に差し込み、突起部６４、６４を嵌合穴７２、７２に嵌合することにより取り付けることができる。その後、図８に示すように、右端の縦羽根１３ｂへ連結具６６を連結する。
【００２５】
図９は前面パネル及び天面パネルを前面から見た斜視図、図１０は前面パネル及び天面パネルを裏側から見た斜視図である。図９、図１０において、前面パネル３及び天面パネル５は一体に連結されており、この一体の状態で、本体ケース１に対し着脱自在に取り付けられている。前面パネル３は、その略中央に幅方向に延びる吸込み格子３１が形成され、この吸込み格子３１の裏側には、幅細の前面部フィルタ３３が着脱自在に取り付けられている。そして、この前面パネル３の下端部には、左右の側壁を有する横長四角形の開口が形成され、この開口には室内へ吹出す空気の上下方向の向きを設定するための上下風向調節器（横羽根）１４が側壁に枢着されている。
【００２６】
天面パネル５はそれ自体フィルタを構成しており、複数の補強用の縦桟４１と、複数の補強用の横桟４３とを有するフィルタ枠４５に、網状のフィルタ素材を一体化させて構成されている。
【００２７】
これら前面パネル３と天面パネル５とはグリル１７の上に重ね合わされて取り付けられる。前面パネル３と天面パネル５とを重ね合わせる場合、前面パネル３を前側から両手でつかみ、天面パネル５がグリル１７の天面部１７Ｃ（図３）に乗る位置まで前面パネル３を運び、そこから前面パネル３をグリル１７側に押し込む。すると、前面パネル３の裏側に形成された一対の凸部３Ａ（図１０）が、グリル１７の係止部１７Ｄ（図３）に係止され、その後、前面パネル３の下端部をグリル１７の下端部へ嵌合させることで、前面パネル３と天面パネル５とがグリル１７へ固定される。
【００２８】
このように、上下風向調節器１４を枢着する前面パネル３が本体ケース１に対して着脱自在に取り付けられ、かつ、左右風向調節器１３が吹出口１２の一周縁部１２Ｓに着脱可能に取り付けられているので、上下風向調節器１４及び左右風向調節器１３を吹出口１２から容易に取り外すことができ、本体ケース１内部を清掃する際には、吹出口１２を通して掃除機の吸込ノズル等を容易に差し入れて清掃を行うことができる。
【００２９】
以上、一実施例に基づいて、本発明を説明したが、本発明はこれに限定されるものではなく、要旨を逸脱しない範囲内で変形が可能である。
【図面の簡単な説明】
【００３０】
【図１】本発明の一実施例における壁掛け型空気調和機の室内機の斜視図である。
【図２】図１の側断面図である。
【図３】グリルを示す斜視図である。
【図４】フレーム及びこのフレームに収納される構成部品を示す斜視図である。
【図５】左右風向調節器を外した状態を示す吹出口の斜視図である。
【図６】図５の縦羽根側の一部拡大図である。
【図７】図５の吹出口側の一部拡大図である。
【図８】縦羽根と駆動用モータの連結具とを連結した状態を示す斜視図である。
【図９】前面パネル及び天面パネルを前面から見た斜視図である。
【図１０】前面パネル及び天面パネルを裏側から見た斜視図である。
【符号の説明】
【００３１】
１  本体ケース
３  前面パネル
４  前面吸気口
５  天面パネル
６  上面吸気口
７  熱交換器
９  クロスフローファン（送風機）
１０  室内機
１２  吹出口
１２Ｓ  吹出口の一周縁部
１３  左右風向調節器
１３ａ、１３ｂ  縦羽根
１４  上下風向調節器（横羽根）
１５  フレーム
１７  グリル
６１  連動板
６２  支持板（係合部）
６３  駆動用モータ
６４  突起部（係合部）
６５  取っ手
６６  連結具
６６ａ  取付孔
６７  ボス
７１  爪（係合部）
７２  嵌合穴（係合部）
【図１】
2004219049.tif 000003
【図２】
2004219049.tif 000004
【図３】
2004219049.tif 000005
【図４】
2004219049.tif 000006
【図５】
2004219049.tif 000007
【図６】
2004219049.tif 000008
【図７】
2004219049.tif 000009
【図８】
2004219049.tif 000010
【図９】
2004219049.tif 000011
【図１０】
2004219049.tif 000012